(57)【要約】      （修正有）【課題】使用しない空間を減らし、全長を短くすることで軽量・小型化を図った車輌用折り畳み式ルーフテントを提供する。【解決手段】車両用折り畳み式ルーフテントは、Ｕ字管２０２とスライド式調節支台２０１によりテント展開時はテント内で横臥した時に頭上に空間を確保出来る様に、テント２０３を押し広げるように構成する。テント収納時にはＵ字管２０２を折り畳んで収納する。スライド式調節支台２０１は、金属板とナットで構成され、Ｕ字管２０２はボルトでスライド式調節支台２０１に固定される。テント２０３は、上記ナットを前後に移動させて展開時の張力を調整する。【選択図】図２
0003178786.tif 000002
【実用新案登録請求の範囲】
【請求項１】
ルーフテントの軽量化のために全長を短くする。前部に膨らみを設けて足元を広げるた考案と、ルーフテントの全長を短くするため後部のテントを押し出す金具を持つことを特徴とする車両用折り畳み式ルーフテント。
【考案の詳細な説明】
【技術分野】
【０００１】  本考案は、例えば車両に搭載する折り畳み式ルーフテントに関するものである。
【背景技術】
【０００２】  図１、三角形の形に展開するルーフテントは図３のように前部１０４は低く、後部１０５は高い構成は周知である。図１においては１００は足元に利用出来ない場所が出来ていることを示し、１０１は頭部に利用しない場所を同様に作る。結果ルーフテントの全長が長くなる。全長が長くなった分、重量が増える。重くなったルーフテントは移動も過大な労力が必要であり、車両に搭載すればルーフテントは走行安定性や燃費に悪影響を与える問題が周知であり、軽いルーフテントの開発が強く要望されていた。
【先行技術文献】
【０００３】
【特許文献１】特開平８−３１８７８０号公報
【０００４】    特許文献１に記載される従来の折畳み式ルーフテントは四方が同時に上昇する構造を有し、その結果室内の高さが高くとれない構造を余儀なくされた。
【考案が解決しようとする課題】
【０００５】  本考案は上記の実状に鑑みてなされたもので、図１のルーフテントの使わない場所図１の１００および１０１を削減しルーフテントの全長を短くし、ルーフテントを軽量化すことをその目的とするものである。
【課題を解決するための手段】
【０００６】  上記の目的を達成するために本考案は、足元の高さを確保するために図３の１０４の尖った前部を、図４の１０６ように前部に膨らみを設ける。また、頭部の高さを確保するために図２の１０３ようにテントを押し出し全体の空間を広げる構成を特徴とする。
【考案の効果】
【０００７】  本考案は以上の構成に基づくものであって、前部の足元と後部の利用しない空間を無くした場合、従来の全長２２０ｃｍの場合同じ空間を保持し約１０％以上の重量を軽減でき、車への搭載での労力の軽減や、走行する車両の燃費や安定性の向上できる。
【０００８】  また、図５テントの縫製も少なくなり防水処理を行う場所が減り漏れ水の発生場所を減らすこができる。
等多くの利点を有する極めて有用な考案である。
【図面の簡単な説明】
【０００９】
【図１】従来のルーフテント展開図
【図２】本考案ルーフテント展開図
【図３】従来のルーフテント収納図
【図４】本考案ルーフテント収納図
【図５】テント構成図
【考案を実施するための形態】
【００１０】    次にこの発明の実施の形態を添付図面に基づき詳細に説明する。図１および図３は旧来からの方法を示します。図２および図４はこの発明の形態を示す。図５は図２および図４でのテント布を展開を示す。具体的な詳細は以下［実施例］において説明する。
【実施例】
【００１１】以下、この考案の実施例を添付図面に基づいて説明する。【００１２】図４の１０６のようにルーフテント前部を拡張することにより図２の１０２のように足元が高くなり結果、利用しない場所が無くなる。【００１３】図２の１０３のように後部テントを持ち上げることにより頭上のテントとの距離が長くなり結果、利用しない場所が無くなる。【００１４】図２の１０２と図２の１０３が一体となり、ルーフテントの全長を短くすることが出来、結果としてルーフテント室内から無駄な場所を減らし結果軽量化が図れる。【００１５】図５で示すテント図面は図２の１０３のようにテントを持ち上げたことにより布の構成を長尺にでき、結果縫い目が少なくなることにより防水処置が少なく漏れ水の解消が図れる。
【図１】
0003178786.tif 000003
【図２】
0003178786.tif 000004
【図３】
0003178786.tif 000005
【図４】
0003178786.tif 000006
【図５】
0003178786.tif 000007
【手続補正書】
【提出日】平成24年7月11日(2012.7.11)
【手続補正１】
【補正対象書類名】実用新案登録請求の範囲
【補正対象項目名】全文
【補正方法】変更
【補正の内容】
【実用新案登録請求の範囲】
【請求項１】
ルーフテントの後部を押し広げるためＵ字管を持つことを特徴とする車両用折り畳み式ルーフテント。
【手続補正２】
【補正対象書類名】明細書
【補正対象項目名】全文
【補正方法】変更
【補正の内容】
【考案の詳細な説明】
【技術分野】
【０００１】  本考案は、例えば車両に搭載する折り畳み式ルーフテントに関するものである。
【背景技術】
【０００２】従来三角形の形に展開するルーフテントで就寝した場合図１のように利用する。
しかし頭上に垂下るテント１０２が邪魔をし１０１に無駄な空間を作ることを余儀なくされた。
結果ルーフテントの全長は１０１の分だけ長くなる。全長が長くると表面積が増えて、総重量が増える。総重量が増えたルーフテントは運搬も過大な労力が必要であり、車両に搭載すればルーフテントが走行安定性や燃費に悪影響を与える問題が周知であるそこで軽量で小型なルーフテントが強く要望されていた。
【先行技術文献】
【０００３】
【特許文献１】特開平８−３１８７８０号公報
【０００４】    特許文献１に記載される従来の折畳み式ルーフテントは四方が同時に上昇する構造を有し、その結果室内の高さが高くとれない構造とテント屋根部分を上昇させる機械部分が重量の増加を余儀なくされた。
【考案が解決しようとする課題】
【０００５】  本考案は上記の実状に鑑みてなされたもので、図１のルーフテントの使わない場所１０１を減らしルーフテントの全長を短くすることをその目的とするものである。
【課題を解決するための手段】
【０００６】  上記の目的を達成するために本考案は、頭上の高さを確保するために図２のＵ字管２０２でテントを押し出し頭上の空間を押し広げる構成を特徴とする。
【考案の効果】
【０００７】  本考案は以上の構成に基づくものであって、１０１の利用しない空間を減少させ全長を短くする。結果、総重量は減少し車への搭載時や運搬での労力の軽減や走行する車両の燃費や安定性が向上する極めて有用な考案である。
【図面の簡単な説明】
【０００８】
【図１】従来のルーフテント展開図
【図２】本考案ルーフテント展開図
【図３】本考案ルーフテント収納図
【図４】Ｕ字管図
【図５】スライド式調節支台図
【図６】テント展開図
【図７】立体分断説明参考図
【符号の説明】
【０００９】  １０１  頭部空間
１０２  頭部のテント
２０１  スライド式式調節支台
２０２  Ｕ字管
２０３  テント
３０１  Ｕ字管を収納した説明
４０２  固定ボルト
５０２  ナット
５０３  金属板
６０１  テント上部
６０２  テント側部
【考案を実施するための形態】
【００１０】    次にこの発明の実施の形態を添付図面に基づき詳細に説明する。図１旧来からの方法を示します。図２はこの発明の形態を示す。図３はテントを収納した状態を示す。図４は２０２を詳細に説明する。図５は２０１スライド式調節支台を詳細に説明する。図６はテント２０３の展開図を示し、具体的な詳細は以下［実施例］において説明する。
【実施例】
【００１１】以下、この考案の実施例を添付図面に基づいて説明する。【００１２】本発明の車両用折り畳み式ルーフテントは図２のＵ字管２０２と２０１のスライド式調節支台でテント展開時は図２のようにテント２０３を押し広げるように構成され、テント収納時には図３のようにＵ字管は３０１のように収納される。【００１３】図２スライド式調節支台２０１は図５のように２０１に金属板５０３とナット５０２で構成され図４のＵ字管２０２はボルト４０２でスライド式調節支台２０１に固定される。【００１４】テント２０３は図５のナット５０２および５０３を前後に移動させてテントの張力を調整する。【００１５】図６はテントの展開図を示し６０１と６０２は６０３で縫製され６０４はテントの入り口である。
【手続補正３】
【補正対象書類名】図面
【補正対象項目名】全図
【補正方法】変更
【補正の内容】
【図１】
0003178786.tif 000008
【図２】
0003178786.tif 000009
【図３】
0003178786.tif 000010
【図４】
0003178786.tif 000011
【図５】
0003178786.tif 000012
【図６】
0003178786.tif 000013
【図７】
0003178786.tif 000014